(57)【特許請求の範囲】
【請求項１】
薬液を収納した又は体液を収納するところの中空の連通穴を有する針を備えた収納室であり、前記収納室の底面は、前記針を備えた堅い基板部を有し、前記収納室の前記底面以外の室壁は、前記針を抜き刺す方向と同じ向きの方向に前記収納室を引き圧又は押し圧に応じて伸縮して体液を採取収納又は薬液を注入するための柔軟伸縮部となっていて、
前記収納室の前記底面は、施術者が前記底面を人体の肌面に当てて、施術者の手指で前記収納室を押し引きし前記柔軟伸縮部が伸縮するときに、安定な姿勢で前記底面を前記肌面が受け止めることが可能な接触面積をもつ底面であることを特徴とする中空針付薬液容器又はこれに薬液を入れた中空針付薬液入り容器又は中空針付体液収集容器。
【請求項２】
前記収納室の前記柔軟伸縮部である室壁面は、前記底面とは反対側の上面にある場合は前記引き圧又は押し圧の方向に変形しながら移動する面であるか、又は、前記底面から立ち上がった側面にある場合は、伸縮可能な蛇腹状になった面であることを特徴とする請求項１記載の中空針付薬液容器又はこれに薬液を入れた中空針付薬液入り容器又は中空針付体液収集容器。
【請求項３】
前記収納室は、前記収納室に薬液を注入する第一の穴と前記収納室からエアを排出する第二の穴を有し、前記収納室に薬液を注入する動作で、前記収納室のエアが押し出されて排出されることで、薬液を注入とエアの排出を同時に行うことを可能したことを特徴とする請求項１又は請求項２記載の中空針付薬液容器又はこれに薬液を入れた中空針付薬液入り容器。
【請求項４】
前記第一の穴は、前記収納室の底面にある場合は、前記第二の穴は前記針の前記連通穴とし、前記収納室の底面以外にある場合は、前記収納室に設けた注入口とするか、又は、前記収納室の前記底面以外の室壁を、薬液装填のための挿入針の挿抜により針穴から破れが広がらず、針を抜いた後は、収縮して穴が閉じることが可能であるようにし、第二の穴は、前記針の前記連通穴とするか、又は前記底面以外の室壁を貫通する穴であることを特徴とする請求項３記載の中空針付薬液容器又はこれに薬液を入れた中空針付薬液入り容器。
【請求項５】
前記収納室の前記柔軟伸縮部である室壁面が前記底面とは反対側の上面にある場合は、前記針から離れた前記収納室の周辺を押し圧するか又は、前記収納室が収縮した状態からの復元を阻止しているストッパを外すことで、復元弾性により前記柔軟伸縮部が凹状態と凸状態の２状態間で反転するか、又は前記収納室の前記柔軟伸縮部である室壁面が前記底面から立ち上がった側面にある場合は、蛇腹状になった面が伸張することで前記収納室の容積が拡大して体液を採取することを特徴とする請求項１又は請求項２記載の中空針付体液収集容器。
【請求項６】
複数個を重ねたときに相手の前記針の突起部を収納するための凹みである突起収納凹み部を、前記収納室の前記針があるとは反対側である前記上面に有することを特徴とする請求項１から請求項５のいずれか一つに記載の中空針付薬液容器又はこれに薬液を入れた中空針付薬液入り容器又は中空針付体液収集容器。
【請求項７】
搬送・保管のために折り畳みが可能なシート上に、請求項１から請求項６のいずれか一つに記載の中空針付薬液容器又はこれに薬液を入れた中空針付薬液入り容器又は中空針付体液収集容器の複数個を配置搭載し、前記シート上の前記配置搭載は、配置している配置箇所と配置していない無配置箇所を交互にしたことを特徴とする集積キャリア。
【発明の詳細な説明】
【技術分野】
【０００１】
本発明は、注射及び体液収集のための中空針付の薬液容器又はこれに薬液を入れた薬液入り容器、体液収集容器とこれを集積搭載して搬送・保管する集積キャリアとこれを用いた連続注射装置、連続体液収集装置集積キャリアの作成方法に関するものである。
【背景技術】
【０００２】
従来、注射装置や体液収集装置は、多くの提案があり、製造され使用されている。両者とも患者以外のものへの感染を防ぐため、使い捨てで使用されるのが特徴となっている。
このような事情の中で、構成が簡単でコストの低い且つ安全な装置が求められ、次々と新たな提案がなされている。
図１３から図１５までは、従来提案された注射装置を示す。
図１３の１３−Ａは、特許文献１に示された使い捨て注射装置の図である。特許文献１以外にも多くの同じような使い捨て注射装置が提案されている。この手の使い捨て注射装置は、一般に複雑な構造の樹脂製のものであるが、捨てるのはコスト的に勿体ないこと、資源浪費の観点でも望ましくないといえる。
【０００３】
図１４は、特許文献２に示されたこれとは違う注射装置の図である。１４−Ａでは、注射前、１４−Ｂは注射中の状態が示されている。この文献の段落番号００１９においては、注射前の構成について次のような記述がある。
円筒１０に設けた薬液室１１の下部を、薬液室１１に連通する針１２を保持する針支持体１３を設けた底部１４により密閉した薬液注入部２０と、薬液室の上面に接合すると共に薬液注入部２０を囲う下方部が開放された円形外枠３０と、皮膚に接触する皮膚接触面４５を有する弾性素材円板４０とからなるものであり、弾性素材円板４０は、その円板外形枠３０内に嵌合すると共に、前記薬液注入部２０の針支持体１３及び該針支持体で保持する針１２の先端部分１５を弾性素材円板内に埋設した構成を採用する。
【０００４】
更に、段落番号００２２から００２５においては、注射中の状態とその後の記述がある。
薬液注入装置１の皮膚接触面４５を身体の注入部位に密接させ、手でスラップ（たたく）することで、弾性素材円板４０のその弾力性によってクッション状態となり針１２が外部に露出するので、身体の注入部位に針が突き刺さり、瞬時に薬液が身体に注入される。薬液の投与が終了した状態では、弾性素材円板４０の反発弾性力により元の状態に戻り、針が身体の注入部位から抜けて弾性素材円板４０内に埋没し廃棄処分が可能となる。
【０００５】
以上のようなものであるが、針を刺す動作でスラップ操作は、瞬間的衝撃であり、操作にばらつきがでる大きな欠点がある。弾性素材円板４０と円形外枠３０との構成も小さな針部に比べて、大きくなり小型・薄型に構成することが難しい。又、複雑な構成はコスト高になるとともに注射器の使い捨てするには、勿体無い。この提案では、更に発明が完成していない状態であり、実際には注射が完成されない。針がスラップ動作の瞬間に皮膚接触面４５から外部に露出し身体の注入部位に刺さるのは実現されるが、薬液が薬液室から排出する手段については記述がされていない。１３−Ｂの注射中の状態の図では、弾性素材円板４０が凹んでいるが、薬液室が収縮していない。このような状態で薬液を排出するには、弾性素材円板４０が凹みにより、これと円板外形枠３０との間の空間の空気が圧縮されて、その押し圧が薬液室に伝わるように、薬液室と空間の間に連通の穴を開けておく必要があるがその記述はない。薬液室の収縮が無ければ、スラップ動作の衝撃により排出が考えられるが、排出による薬液室の負圧になることが邪魔をしてほとんど排出は不可能である。
しからば、連通の穴無しに排出が可能とするために薬液室が収縮するように柔軟な薬液室にすると、スラップ時に弾性素材円板４０の収縮と薬液室の収縮の起こり方（両者が凹むので）次第で、針が出なったり、薬液が出なかったり、微妙な動作になり、実際は極めて難しいという不都合がある。この提案では、針が出るということだけは確かであるが、薬液が出るためには、連通穴を設けるしか実現は難しい。
【０００６】
図１５は、特許文献３に示された別の注射装置の図である。
この文献の段落番号００１１において、物質を患者の皮膚へ導入する器具は、中央開口部を備えたハウジングと、ハウジングの中央開口部内に配置された平らな部材とを有する。平らな部材は、内面及び外面を有し、外面からは複数本の微小針が伸びている。平らな部材は、平らな部材を貫通して内面か外面まで延びる少なくとも１つの開口部及び内面上に設けられた少なくとも１つのカニューレを更に有する。可撓性カバーが、ハウジング内にキャビティを構成するように中央開口部を覆うと共に平らな部材から間隔を置いて位置した状態でハウジングに結合されている。少なくとも１種類の物質を収容した袋が、平らな部材と可撓性カバーとの間でハウジングのキャビティ内に配置されている。袋は、カニューレによって穿通可能であり、開口部を通って物質を微小針に小出しするよう可撓性カバーを押しつぶし可能である。
段落番号００１２には、可撓性カバーが第一と第二の位置という２状態の位置を取ることが可能である記述がある。
更に段落番号００１３において、十分な圧力を可撓性カバーに加えて袋を破裂させ、物質を微小針に小出しすると記述されている。      
実施形態の詳細な説明では、カニューレのあるものしか説明されていない。請求の範囲でも、請求項２１、請求項３０に、段落番号００１２と段落番号００１３に対応して、カニューレのないところまで広く請求記述しているが、最終的に特許された特許第４８１５０９５号では、全てカニューレのある限定がなされている。
以上の提案での構成上の主要な点は、可撓性カバーと底部に微小針を有するハウジングによる１つの容器とこの中に収容される薬液収容の袋を有することであり、この容器の中に容器がある２つの容器の２重構成が第一の特徴である。更に袋を破るカニューレを有することも第二の特徴となっている。
【０００７】
第一の特徴である容器の２重構成は、針を有する外側の容器は、内側の容器である袋から注射物質が排出され、外側の容器内が満たされ、これが針を通じて身体に入るのであるから、当然、外側の容器の内側は空気が無い、エア抜きの状態であることが必要である。注射物質を含む内側容器の袋も物質のみで満たされていてエア抜きであるようにする以外に、外側容器のエア抜きも行うという余分に必要な手間を要する不都合に加えて、更にそのためには針先が密閉状態に常時なっていることが必要になる。最初から外側容器に物質が満たされている場合は、物質が針先まで満たすので、針穴からエアの進入は無く。針先が開放の状態でもかまわない。外側容器は最初は物質で満たされていないのであるから、これとは大きく異なって、２重容器構成では、このような大きな不都合がある訳である。
【０００８】
更に上記の２重構成では、エア抜き以外に使い方での不都合も大きい。使い方で、容器を身体に当てて、押し圧を加えて、針を刺し、同時に袋を破いて注射物質を出す訳であるが、先に針を出すため、針先が密閉状態にしている針の蓋を取ることはできない。蓋を取った瞬間に針穴からエアが入るためである。エアが入らないためには、先ず、先に押し圧で先に袋を破り、針穴を物質で満たす必要がある。
又は、体に押し圧して、針で針の蓋を破るようにするように構成しなければならない。
尚、針で蓋を破るのは、保管や運搬時にも小さな衝撃で蓋が破れる可能性があり、そのことで、エアが外側の容器に侵入する恐れがあり、この手段は現実には使えない。従って、使用者は、使用前に、押し圧により袋を破り、物質で外側容器を満たしてから、針の蓋を外し、身体に当てて押し圧することになり、使用方法の管理上で重い留意が必要であり、極めて不便な扱いになる。
更に第一の特徴では、製造の工程も当然長く、構成が複雑なことでコスト高になり、大きな不都合となる。
又、カニューレ無しに袋を破るのも袋の柔軟性により大きな押し圧が必要で、破れた瞬間の衝撃が、物質の緩徐な注入にならず押し圧のばらつく原因になる。逆に簡単に袋が破れるのは、保管や運搬中に破れる心配があり、これも難しい不都合となる。
【０００９】
更に、第二の特徴である袋を破るカニューレを有することは、袋を破って穴を開けるわけであるが、構成が複雑になり製造の工程も当然長く、構成が複雑なことでコスト高になる点と、カニューレにより袋に穴を開ける瞬間には、押し圧に対して袋が逃げるので破れる押し状態にバラツキが出る。
【００１０】
更に、容器の２重構成もカニューレも使い捨てるには勿体ない構成であるとともに、装置の厚みがその分大きくなり、ハウジングも堅牢な部分が必要となり、複数個の装置を折りたたむなど集積収容するに不向きである不都合がある。
【先行技術文献】
【特許文献】
【００１１】
【特許文献１】特表２００６−５２５８３０
【特許文献２】特開２００７−１４５９４
【特許文献３】特表２００４−５０３３４１
【発明の概要】
【発明が解決しようとする課題】
【００１２】
本発明の課題は、薬液等を収容する容器のエア抜きとその扱いの不都合を回避し、構成を単純化して小型・薄型を可能として集積収容や連続的使用を可能とし、製造工数・材料の削減によるコスト低減、使用上の安心・容易化を図った中空針付薬液容器又はこれに薬液を入れた中空針付薬液入り容器、中空針付体液収集容器、これら容器を複数搭載した集積キャリヤ、集積キャリア集合体及び、連続注射装置、連続体液収集装置を提供する。
【課題を解決するための手段】
【００１３】
本発明の中空針付薬液容器又はこれに薬液を入れた中空針付薬液入り容器、中空針付体液収集容器は、薬液を収納した又は体液を収納するところの中空の連通穴を有する針を備えた収納室であり、その底面は、針を備えた堅い基板部を有し、底面以外の収納室の室壁には、針を抜き刺す方向と同じ向きの方向に収納室を押し圧又は引き圧に応じて伸縮するための柔軟伸縮部を備える。更に、集積キャリアに集積、その集合体を形成したことを特徴とする。
【００１４】
請求項１記載の発明は、中空針付薬液容器又はこれに薬液を入れた中空針付薬液入り容器又は中空針付体液収集容器であって、
薬液を収納した又は体液を収納するところの中空の連通穴を有する針を備えた収納室であり、前記収納室の底面は、前記針を備えた堅い基板部を有し、前記収納室の前記底面以外の室壁は、前記針を抜き刺す方向と同じ向きの方向に前記収納室を引き圧又は押し圧に応じて伸縮して体液を採取収納又は薬液を注入するための柔軟伸縮部となっていて、前記収納室の前記底面は、施術者が前記底面を人体の肌面に当てて、施術者の手指で前記収納室を押し引きし前記柔軟伸縮部が伸縮するときに、安定な姿勢で前記底面を前記肌面が受け止めることが可能な接触面積をもつ底面であることを特徴とする。
【００１５】
請求項２記載の発明は、請求項１記載の中空針付薬液容器又はこれに薬液を入れた中空針付薬液入り容器又は中空針付体液収集容器において、
前記収納室の前記柔軟伸縮部である室壁面は、前記底面とは反対側の上面にある場合は前記引き圧又は押し圧の方向に変形しながら移動する面であるか、又は、前記底面から立ち上がった側面にある場合は、伸縮可能な蛇腹状になった面であることを特徴とする。
【００１６】
請求項３記載の発明は、請求項１又は請求項２記載の中空針付薬液容器又はこれに薬液を入れた中空針付薬液入り容器において、
前記収納室は、前記収納室に薬液を注入する第一の穴と前記収納室からエアを排出する第二の穴を有し、前記収納室に薬液を注入する動作で、前記収納室のエアが押し出されて排出されることで、薬液を注入とエアの排出を同時に行うことを可能したことを特徴とする。
【００１７】
請求項４記載の発明は、請求項３記載の中空針付薬液容器又はこれに薬液を入れた中空針付薬液入り容器において、前記第一の穴は、前記収納室の底面にある場合は、前記第二の穴は前記針の前記連通穴とし、前記収納室の底面以外にある場合は、前記収納室に設けた注入口とするか、又は、前記収納室の前記底面以外の室壁を、薬液装填のための挿入針の挿抜により針穴から破れが広がらず、針を抜いた後は、収縮して穴が閉じることが可能であるようにし、第二の穴は、前記針の前記連通穴とするか、又は前記底面以外の室壁を貫通する穴であることを特徴とする。
【００１８】
請求項５記載の発明は、請求項１又は請求項２記載の中空針付体液収集容器において、前記収納室の前記柔軟伸縮部である室壁面が前記底面とは反対側の上面にある場合は、前記針から離れた前記収納室の周辺を押し圧するか又は、前記収納室が収縮した状態からの復元を阻止しているストッパを外すことで、復元弾性により前記柔軟伸縮部が凹状態と凸状態の２状態間で反転するか、又は前記収納室の前記柔軟伸縮部である室壁面が前記底面から立ち上がった側面にある場合は、蛇腹状になった面が伸張することで前記収納室の容積が拡大して体液を採取することを特徴とする。
【００１９】
請求項６記載の発明は、請求項１から請求項５のいずれか一つに記載の中空針付薬液容器又はこれに薬液を入れた中空針付薬液入り容器又は中空針付体液収集容器において、
複数個を重ねたときに相手の前記針の突起部を収納するための凹みである突起収納凹み部を、前記収納室の前記針があるとは反対側である前記上面に有することを特徴とする。
【００２０】
請求項７記載の発明は、集積キャリアであって、
搬送・保管のために折り畳みが可能なシート上に、請求項１から請求項６のいずれか一つに記載の中空針付薬液容器又はこれに薬液を入れた中空針付薬液入り容器又は中空針付体液収集容器の複数個を配置搭載し、前記シート上の前記配置搭載は、配置している配置箇所と配置していない無配置箇所を交互にしたことを特徴とする。
【発明の効果】
【００２１】
以上の様に構成されているので、本発明による中空針付薬液容器又はこれに薬液を入れた中空針付薬液入り容器、中空針付体液収集容器、これら容器を複数搭載した集積キャリヤ、集積キャリア集合体は、小型・薄型を可能、低コストで実現でき、従来品の容器のエア抜きとその扱いの不都合を克服でき、ここを集積が可能なので、予防接種や、血液など体液検査などの使い捨ての集団施術に使用して利便性の向上を図ることができる。
【図面の簡単な説明】
【００２２】
【図１】本発明の中空針付薬液容器又はこれに薬液を入れた中空針付薬液入り容器、中空針付体液収集容器の一実施態様を示す図である。
【図２】本発明の中空針付薬液容器又はこれに薬液を入れた中空針付薬液入り容器、中空針付体液収集容器を複数搭載した集積キャリヤの一実施態様を示す図である。
【図３】本発明の集積キャリヤを搭載する集積キャリア集合体の一実施態様を示す図である。
【図４】本発明の中空針付薬液容器又はこれに薬液を入れた中空針付薬液入り容器、中空針付体液収集容器の別の一実施態様を示す図である。
【図５】本発明による集積キャリア集合体を用いた連続注射装置又は連続体液収集装置の一実施態様を示す図である。
【図６】本発明による集積キャリア集合体を用いた連続注射装置又は連続体液収集装置の別の一実施態様を示す図である。
【図７】駆動バーの反復上下動により送り車を一方向に回転させる伝達部の一実施態様を示す図である。
【図８】薬液を容器に充填して中空針付薬液入り容器を実現する手段の一実施例を示す。
【図９】薬液の充填が済んだ中空針付薬液入り容器、体液を採取前の中空針付体液収集容器を集積キャリヤに搭載した一実施態様を示す図である。
【図１０】本発明の中空針付薬液入り容器において薬液をいれてから中空針付容器を完成する一実施態様を示す図である。
【図１１】本発明の中空針付容器を集積キャリア上に構成する一実施態様を示す図である。
【図１２】本発明の中空針付容器を集積キャリア上に構成する一実施態様を示す図である。
【図１３】１３−Ａは、従来の使い捨て注射装置、１３−Ｂは、微細中空針の図である。
【図１４】従来の注射装置の図である。
【図１５】従来の別の注射装置の図である。
【発明を実施するための形態】
【００２３】
本発明の中空針付薬液容器又はこれに薬液を入れた中空針付薬液入り容器、中空針付体液収集容器は、薬液を収納した又は体液を収納するところの中空の連通穴を有する針を備えた収納室であり、その底面は、針を備えた堅い基板部を有し、底面以外の収納室の室壁には、針を抜き刺す方向と同じ向きの方向に収納室を押し圧又は引き圧に応じて伸縮するための柔軟伸縮部を備えたこと、これを集積した集積キャリア、更にその集合体、これらを使用した注射又葉、体液収集装置である。以下図に沿って説明する。
【００２４】
図１は、本発明の中空針付薬液容器又はこれに薬液を入れた中空針付薬液入り容器、中空針付体液収集容器の一実施態様を示す図である。１−Ａと１−Ｃでは、上に斜視図、下に断面図を示している。１−Ａにおいて、
薬液１０１を収納する空間である収納室１０２の底面は、身体に差し込むための中空の連通穴１０３を有する針１０４がついている堅い基板部１０６であり、針の先端から収納室１０２内部に連通穴１０３が繋がっている。薬液１０１は、連通穴１０３を介して収納室１０２から針１０４の外である身体に注入、或いは、体液が連通穴１０３を介して収納室１０２に採取できる。収納室１０２を形成する底面以外の室壁（収納室の断面が矩形とは限らないが、矩形では上面又は／及び側面）、その場合特に上面は、針１０４を刺す方向と同じ向きの方向に収納室１０２を伸縮するために、押し圧又は引き圧に応じて動く柔軟伸縮部１０５となっている。このため、指などの押し圧又は引き圧に応じて容易に収納室１０２が伸縮して、収納室１０２へ体液を採取又は収納室１０２から薬液１０１を注入することができる。１−Ａでは、薬液が入っている状態の容器で収納室１０２の上面に柔軟伸縮部１０５を有するものを示している。針１０４を被う針カバー１０７を備えると好都合である。針カバー１０７を被せた外側の面は平らになる方がよい。
柔軟伸縮部１０５と基板部１０６とで囲まれた密閉した空間が収納室１０２になっている。
密閉された空間である収納室１０２の底面が針付の基板部、収納室１０２の底面以外の上面又は及び側面が柔軟伸縮部１０５となったシンプルな構成であるから、従来品の不都合は全て回避される。収納室１０２に薬液１０１を充填する製造時に簡単な一回のエア抜きを行えば、その後エアが入る心配が無い。又、収納室１０２を破ることや、針先を出す衝撃も必要ないので、針の挿入や薬液注入時の押し圧がばらつくことも無く、円滑に注入が行われる。更に、構成が極めて単純なので、製造工数、材料などコストが極めて低いものとなる。更に使い捨てのも最小限の環境負荷でよい。
【００２５】
１−Ａと１−Ｃの違いは、前者では柔軟伸縮部１０５が上面に、後者では側面に有ることであり、上面にある場合は半球形や円弧状の形態をしているが、側面にある場合は蛇腹状の形態をしている。尚、１−Ｃの場合も針１０４を被う針カバー１０７を備えると好都合である。針カバー１０７を被せた外側の面は平らになる方がよい。
１−Ｂには、複数の針を有する例を示しているが、この図に限らず全ての例に適用できる。
１−Ｄには、１−Ｃの例の側面の柔軟伸縮部１０５が長いもの、従って、収納室１０２が縦長になり収容する薬液や体液の量が多い場合に対応できるものを示している。
【００２６】
１−Ｅと１−Ｆでは断面図で示されている。１−Ａで示された中空針付薬液容器又はこれに薬液を入れた中空針付薬液入り容器を少し変更することで、中空針付薬液容器又はこれに薬液を入れた中空針付体液収集容器としたものを示す。１−Ｅは、体液の採取前、１−Ｆは体液の採取後の状態を示す。中空針付薬液容器又はこれに薬液を入れた中空針付薬液入り容器として使用する場合は、柔軟伸縮部１０５は、押し圧により押されて注入が終わった後は、戻る必要がなく、むしろ、戻らないほうがよいので、必ずしも復元弾力性は必要としないが、中空針付体液収集容器として使う場合は、柔軟伸縮部１０５は、１−Ｅの下に凸で収納室１０２がひしがれた状態から１−Ｆの上に凸で収納室１０２が広がった状態にならなければならない。そのため、
柔軟伸縮部１０５は、例えば、中空針付体液収集容器を皮膚に当て挿入し、周りを押すことで柔軟伸縮部１０５は復元弾力性により反転することが必要である。そのため、柔軟伸縮部１０５が復元弾力性を有する復元弾性部１０５Ｂを有することが好都合である。これは、例えば、押し圧により凹状態と凸状態の２状態間で反転する特性を柔軟伸縮部１０５に備えることで可能である。このような凹凸の反転する２状態間で変わる板バネも利用できる。又、使用前は、収納室１０２が収縮した状態で復元を阻止する押さえのストッパがあり、使用時には、このストッパを外すことでバネ等の柔軟伸縮部１０５Ｂの復元弾力性により、収納室１０２を拡大しても実質的に２状態間の変化をもたらすことが可能である。
中空針付体液収集容器は。１−Ｅ、１−Ｆのように、収納室１０２の上面に柔軟伸縮部１０５がある場合に限らない。１−Ｃのように側面に有る場合も同様である。使用前に収縮していた柔軟伸縮部１０５を使用時に伸ばし、収納室１０２の容積が拡大すればよい。特に１−Ｃの長さが短い薄型では、復元弾力性があったほうが良いが、１−Ｄのように長いものでは。医師の手でもって伸ばすことでも、収納室１０２の容積の拡大が可能であるので、必ずしも復元弾力性が無くとも可能である。
柔軟伸縮部１０５は、ポリカーボネート、ポリスチレン、ポリオレフィン、ポリエチレンテレフタレート、ポリエチレン、ポリプロピレン、ナイロン、塩化ビニルなどの樹脂のうち、軟質のものを薄手の膜状にしたものが都合がよい。このうち、復元弾力性を備えるものは、天然ゴム膜や、合成ゴム膜、塑性変形に至らない弾性力の範囲で使用する樹脂膜、復元板バネ或いは、凹凸が反転する板バネで補強した樹脂膜などが使用できる。
【００２７】
図２は、本発明の中空針付薬液容器又はこれに薬液を入れた中空針付薬液入り容器、中空針付体液収集容器を複数搭載した集積キャリヤの一実施態様を示す図である。
図１に示された又は、図４にこの後示される中空針付薬液容器又はこれに薬液を入れた中空針付薬液入り容器、中空針付体液収集容器の複数個を薄い紙や樹脂シート等の搭載運搬具に搭載したものであり、使用に供するまでの運搬・保管、さらにこれから示す使用中の収納形態、注射装置で使用する場合の連続送りなどに極めて便利な集積態様である。
２−Ａでは、集積キャリア２０１上に、中空針付薬液容器又はこれに薬液を入れた中空針付薬液入り容器又は中空針付体液収集容器、（以下中空針付容器２０２とする）が一列に適度な間隔で配置されている。各中空針付容器２０２の間の集積キャリア２０１上には、ここを切り離しが容易なようにミシン目を備えることも可能である。２−Ｂでは、中空針付容器２０２の両脇の集積キャリア２０１上には、機械歯車で送る場合の搬送用歯車溝穴２０３を備えた例である。２−Ｃでは、搬送用歯車溝穴２０３の代わりに、山谷が連続して交互にある（ぎざぎざに）搬送用歯２０４を備えた例である。２−Ｄでは、複数の中空針付容器２０２（この例では、８個）が、一枚のキャリアシート上に配置されている例である。
このようなキャリアシートが縦に重ねて積まれている。各シートはここに取り出すことができる。
２−Ｅでは、中空針付容器２０２が、キャリアシート上に、１個おきに配置され、個々の中空針付容器２０２間には、１個分の中空針付容器２０２を配置していない無配置箇所２０５がある。このようにして、図のように折りたたむと、中空針付容器２０２が全て同じ方向を向いて縦に重ねることができて、箱の中に重ねて集積体を箱の下の開口から引き出すような場合に、円滑に取り出すことができて極めて都合がよい。そうでない場合は、向きが違うと、向きを変えることが必要で円滑には取り出せない。
全ての例で、使用時には、使用前又は使用後（適用後）に個々の中空針付容器２０２を切り離して使用できる。集積キャリア２０１の素材としては、ポリカーボネート、ポリスチレン、ポリオレフィン、ポリエチレンテレフタレート、ポリエチレン、ポリプロピレン、ナイロン、塩化ビニルなどの樹脂などのフィルムが利用できる。
尚、中空針付体液収集容器においては、集積キャリヤ上の配置搭載箇所に対応して認識符号を備えると、ここの中空針付体液収集容器を区別できて都合がよい。
【００２８】
図３は、本発明の集積キャリヤを搭載する集積キャリア集合体の一実施態様を示す図である。
３−Ａにおいて、２−Ａ、２−Ｂ、２−Ｃ、２−Ｅに示された集積キャリヤを巻き取り収容するリール３０１を用いた集積キャリア集合体３００であり、集積キャリヤ３０２を引き出すための引出口３０３を備えていると都合がよい。リール３０１は、２枚の円板状側壁３０４の間に集積キャリヤ３０２を巻き取ることが可能な構造である。
３−Ｂにおいて、２−Ｄに示された集積キャリヤを収納する箱型の集積キャリア集合体３００で、引出口３０３、又は、箱の上蓋を開けて取り出すことができる。
３−Ｃにおいて、２−Ａ、２−Ｂ、２−Ｃ、２−Ｅに示された集積キャリヤを縦に重ねて収容する縦長の箱型の集積キャリア集合体３００で、２−Ａ、２−Ｂ、２−Ｃでは、上蓋を開いて取り出し、２−Ｅの場合は、上蓋を開いて取り出すか、下に設ける引出口３０３から引き出すことができる。これらの集積キャリア集合体３００を使うと、特段の機械を使わなくとも手動により、使用する医師が使用の度に引き出した個々の中空針付容器２０２を切り離して使用に供することができ手軽に施術することができる。
【００２９】
再度、図１と同様に中空針付薬液容器又はこれに薬液を入れた中空針付薬液入り容器、中空針付体液収集容器の説明に戻す。
図４は、本発明の中空針付薬液容器又はこれに薬液を入れた中空針付薬液入り容器、中空針付体液収集容器の別の一実施態様を示す図である。図２、図３で説明した集積キャリヤ及び集積キャリア集合体を中空針付薬液容器又はこれに薬液を入れた中空針付薬液入り容器、中空針付体液収集容器を重ね或いは巻き取りで構成する場合、図１で説明した中空針付薬液容器又はこれに薬液を入れた中空針付薬液入り容器、中空針付体液収集容器も使用できるが、ここでは、針カバーの無い状態で使用（重ね或いは巻き取り）することにも適した、針が他の容器に当たり収納室１０２を破損することの回避、及び、針の突起が引き出し時に邪魔にならないようにするための手段を有する中空針付薬液容器又はこれに薬液を入れた中空針付薬液入り容器、中空針付体液収集容器について記述する。
４−Ａから４−Ｃにおいては、中空針付薬液容器又はこれに薬液を入れた中空針付薬液入り容器、中空針付体液収集容器の複数個を針カバー無しに重ね収容する場合に好都合な例を示す。重なったときに相手の針１０４の突起部を収納する突起収納凹み部１０８を自分の針があるとは反対側である上面に有するものを示している。
４−Ａと４−Ｃでは、突起収納凹み部１０８を針１０４のあるところに限定して、この図では真ん中の位置に有するものである。４−Ａと４−Ｃの違いは、前者では柔軟伸縮部１０５が上面に、後者では側面に有ることであり、上面にある場合は半球形や円弧状の形態をしているが、側面にある場合は蛇腹状の形態をしている。
４−Ｂでは、突起収納凹み部１０８が針１０４のあるところを含み、側面に向かって
一方向に貫通するように形成されている。このようにすると、針１０４の突起部がこの貫通した突起収納凹み部１０８の通路に沿って抜けることができるので、重ね収容したときに引き出しやすいので好都合である。
【００３０】
４−Ｄから４−Ｇまでは断面図のみで示されている。４−Ｄと４−Ｅでは、注射前、注射中の状態を示す。同様に、４−Ｆと４−Ｇは、注射前、注射中の状態を示す。尚、これらは、体液採取にも使用でき、４−Ｅ、４−Ｇが採取前、４−Ｄ、４−Ｆが採取後になる。
４−Ｄでは、針１０４が押し圧により凹凸が反転する凹凸反転板１０９が基板部１０６の下面についていて、注射前の押し圧が無いときは、上に凸状態になっていて、そのため針１０４が凹み１１０の中に入り、基板部１０６の下面より外側には出ていない。
４−Ｅでは、身体の注射部位に当てて、指等で押し圧すると、凹凸反転板１０９の凹凸が反転し、下に凸となり、針１０４が基板部１０６の下面より外側にでて、注射部位に挿入され、薬液１０１が注入される。当然、収納室１０２は、針の向かう方向に収縮して、ここではわずかに薬液１０１が残っている状態を示している。
４−Ｆと４−Ｄとの違いを述べる。４−Ｄでは、針１０４のついた凹凸反転板１０９が反転するのに対して、４−Ｆでは、針１０４と収納室１０２を周りで支える基板部１０６の凹凸が反転した曲がり方をする。４−Ｆでは注射前で、基板部１０６が上に凸になっていて針１０４が基板部１０６が作る凹み１１０の中に入っている。４−Ｇでは、注射中で、基板部１０６が平らの位置又は下に凸の位置まで曲がって、針が飛び出した状態を示している。
４−Ｅ、４−Ｇのいずれのものも、注射後の抜き出した後、基板部１０６の周辺を下側に押し付けて凹凸のそりを反転することで、針１０４を凹み１１０の中に収納することも可能である。
尚、凹凸反転板１０９の凹凸反転機構としては、特開平６−２０３７２９等に紹介されていて利用できる。薄板１０９の素材としては、ポリカーボネート、ポリスチレン、ポリオレフィン、ポリエチレンテレフタレート、ポリエチレン、ポリプロピレン、ナイロン、塩化ビニルなどの樹脂を使用することが可能である。
【００３１】
図５は、本発明による集積キャリア集合体を用いた連続注射装置又は連続体液収集装置の一実施態様を示す図である。ここでは医師等が手に持って操作する連続注射装置又は連続体液収集装置（以下手持ち連続注射等装置と記述する）となっている。
５−Ａにおいて、手持ち連続注射等装置５００は、手で持つための握り部５１０とこれに接続した胴体部５２０とその先端に付いた施術部５３０とこれに付いた集積キャリア集合体３００を備えている。施術部５３０では、集積キャリアを収納した集積キャリア集合体３００から集積キャリアを搬送し、中空針付容器２０２の供給を受け、これを押し圧して施術（注射または体液収集）を行う。１回の施術毎に、キャリアを巻き取る。
【００３２】
先ず、施術部５３０を拡大して示した５−Ｃを説明する。施術部筐体５３１の内部には、施術に必要な、中空針付容器２０２を押し圧する押圧具５３２が備えている。施術部筐体５３１の底面である施術部底面５３３は開いていて、ここから身体を施術部に当てて使用する。この底面を這うように集積キャリア５３４が移動するようになっていて、この図では左側から入って、施術部底面５３３で、押圧具５３２により押し圧され、施術が施された後、右側から出てゆく。集積キャリア５３４の移動の送りは、回転する送り歯車５３５により行われる。ここでは、６個の歯車が示されているが、個数はこれにこだわらない。尚、送りには歯車以外に摩擦性の送り車、例えば、ベルト駆動の送り車なども同じ動作が可能である。当然、集積キャリア５３４の側には、これらの送り歯車や送り車に対応する送り機構（２−Ｂの搬送用歯車溝穴２０３や、２−Ｃの搬送用歯２０４など）があることは当然である。
押圧具５３２は、この例では、円柱５３６がこれをガイドする円筒５３７に導かれ上下動するようになっている。尚、円筒５３７は、施術部筐体５３１に接続固定されている。
下に動いたときには、集積キャリア５３４上にある中空針付容器２０２を押し圧して施術を行う。押し圧の動作を説明する。円柱５３６の押し圧する側の先端とは反対側の先端には、駆動ガイド管５３８内に収納された駆動ワイヤ５３９が接続されていて、駆動ワイヤ５３９の他の先端は、胴体部５２０にある引き金５４０に繋がっているため、引き金５４０を引くと駆動ワイヤ５３９が押されて、円柱５３６が下に下りて、中空針付容器２０２を押し圧する。尚、駆動ガイド管５３８は、胴体部５２０に接続固定されている。
引き金５４０を離すと、図示されないバネにより引き金５４０も戻り、円柱も上がる。この引き金の動作により、送り動作も行われるが、送りの動作については、図６で行っていることと同じなので、図６と図７で後述する。
【００３３】
集積キャリア集合体３００のうち、集積キャリアを収納し、施術部５３０に供給する側のものは、５−Ａでは、３−Ａに示すものを用いた例であったが、５−Ｂにおいては、３−Ｃに示すものを用いた例である。集積キャリア集合体３００は、この方が、上に伸ばすことができて施術の邪魔にならない利点がある。
手持ち連続注射等装置の実現手段は、この例に挙げたもの以外にも多くの変化した態様が可能である。
【００３４】
図６は、本発明による集積キャリア集合体を用いた連続注射装置又は連続体液収集装置の別の一実施態様を示す図である。ここでは医師等が手に持って操作するのではなく、据え置き型の連続注射装置又は連続体液収集装置（以下据え置き連続注射等装置と記述する）となっている。
筐体６００の中に、図５の手持ち連続注射等装置とほぼ同じ手段が搭載されている。集積キャリア集合体３００（ここでは、３−Ａのリール形）が左右に付いていて、集積キャリア５３４は、左から右側に移動するように送られる。押圧具５３２が備えられていて、円柱５３６がこれをガイドする円筒５３７に導かれ上下動するようになっている。尚、円筒５３７は、筐体６００に接続固定されている。円柱５３６の押し圧する側とは反対側は
駆動ワイヤ５３９と同じ働きをする駆動バー５３９Ｂが接続していて、引き金５４０又はハンドルの動作を伝えている。引き金５４０又はハンドルは、バネ５４１の復元力で戻るようになっている。集積キャリア５３４は、搬送用歯車溝穴２０３や搬送用歯２０４を介して搬送されるが、これと搬送可能に結合した搬送のための歯車又は摩擦車等の送り車５４５が備えられ、この図では、送り車５４５は更に第一伝達ワイヤ又はベルト５４６により、集積キャリア集合体３００から集積キャリアを動かす回転軸５４７を駆動するようになっている。送り車５４５を動かす元となる駆動力は、これと往復部分回転車５４３との間を連結する第二伝達ワイヤ又はベルト５４４により伝えられる。更に往復部分回転車５４３に付いたアーム連結片５４２が駆動バー５３９Ｂに回転自在に繋がっているので、駆動バー５３９Ｂが上下動のいずれかで、特に上側に回復移動するときに回転送りが達成される。駆動バー５３９Ｂが反復上下動するのに、集積キャリアが往復でなく、一方向に送られるには、一方向にしか動かないラチェット回転機構を有する回転部を送り車５４５に有する必要がある。これは図７で説明する。
押圧具５３２の直下の集積キャリア集合体３００の更に下には、患者の腕等の身体を挿入する身体置き台５４８があって、これは更に、身体置き台５４８を上下動させるリフタ５４９に支えられている。これにより、腕などの身体を集積キャリアに密着させることを補助できる。
【００３５】
図７は、駆動バーの反復上下動により送り車を一方向に回転させる伝達部の一実施態様を示す図である。駆動バー５３９Ｂと伝達往復部分回転車５４３との間にアーム連結片５４２があって、これが回転と伸縮が可能になっている。更に伝達往復部分回転車５４３は、ベルト等の伝達具により、送り車５４５を駆動しているが、送り車５４５の反復動作に対して、これに付いた第二の送り車５４５Ｂは、一方向にしか回らないラチェット結合をしている。
【００３６】
以上の説明では、引き金５４０からの駆動伝達を機械的手段のみで行ったが、電動手段により電気的に駆動することも可能である。例えば、ベルト等を介さずに、直接にモーターを駆動することができることは当然である。引き金の代わりに操作スイッチ又は操作ボタンが使用される。尚、引き金５４０や操作スイッチ又は操作ボタンは、施術者が行う操作のための手段であり、操作部と記述する。
【００３７】
以下は、薬液を容器に充填することおよび集積キャリアに搭載することに関する手段を示す。
図８は、薬液を容器に充填して中空針付薬液入り容器を実現する手段の一実施例を示す。
８−Ａは、完成された中空針付容器８００（この例では、４−Ｂの容器で針側には蓋がしてあるものを使用している。勿論他の容器でもよい）の収納室１０２の柔軟伸縮部１０５を予め押さえて収納室１０２のエア抜きが済んだ状態のものを使用して、薬液を注入する。注入するためにここでは、大きな注射器状の注入器８０１を示しているが、工業的には、更に注入量の制御が容易な連続稼動の装置が利用される。注入によって、収納室１０２に薬液が入り膨らんだ状態になる。下の二つの容器は、左側は、薬液が満杯になったもの、右側は、エア抜きが不十分で少しのエアが残った状態を示すが、少し残った状態でも針のある側は、薬液なので、患者への注入でエアが入らないようにすることは可能である。注入後は、
注入穴を閉じる閉じ蓋８０２を貼り付けている。閉じ蓋８０２は、貼り付け以外に、圧着などで閉じても良く他の形態が可能である。尚、完全なエア抜きを行うには、柔軟伸縮部１０５の一部に後で閉じるエア抜き穴を設けてもよい。
【００３８】
８−Ｂでは、注入器８０１で注入を行いながらエア抜きを可能とした注入手段を示す。
注入器の注入針又は注入口８０１Ｂは、薬液注入用の針以外に他の貫通中空針８０３がエア抜き用に余分に備えてある例で、他は、８−Ａと変わらない。貫通中空針８０３の針の他の端は空気中に開いているエア抜き針開放端８０４となっているので、薬液注入用の針から薬液が充填されるにつれ、エアが押し出されて、貫通中空針８０３から収納室１０２の外に排出される。エア抜き針開放端８０４から薬液が出るほどになると、エアは完全に抜けている状態となっている。注入後は、閉じ蓋８０２がなされている。針を抜き差しする柔軟伸縮部１０５は、針により、破損部が広がる性質のものではなく、針を抜いた後は、薬液が流れ出さないように破損部の口が収縮性を持ったものが都合がよく、薬液が流れ出さない状況で閉じ蓋８０２を行うことが可能である。このような破損部の口が収縮性は、素材が塑性復元弾性を持つことが必要で、例えば、ゴムのように針の挿入で伸びて小さい穴が開くが、抜いた後は、収縮して穴が閉じる又は極めて小さくなる性質である。
尚、塑性復元弾性がない場合にも、柔軟伸縮部１０５の一部に薬液注入後に閉じることが可能な薬液注入口とエア抜き穴を設ければ、注入後に閉じ蓋８０２をするか、又は、薬液注入口とエア抜き穴を圧着するなどの手段が可能である。
てもよい。
【００３９】
８−Ｃでは、薬液注入を中空針付容器８００の針のある側（柔軟伸縮部１０５の側とは反対側）の底面に設けた薬液注入穴８０５から注入器８０１により注入する例を示す。注入により薬液が収納室１０２に入ると、針１０４の穴からエアが排出されるので、特別のエア排出手段は不要である。薬液注入後は、薬液注入穴８０５を閉じ蓋８０２で閉じる。最下の右側には更に針１０４を閉じ覆う針カバー８０６が示されている。
【００４０】
８−Ｄでは、薬液注入を柔軟伸縮部１０５の側から注入器８０１により注入する例を示す。注入により薬液が収納室１０２に入ると、針１０４の穴からエアが排出されるので、特別のエア排出手段は不要である。薬液注入後は、薬液注入穴８０５を閉じ蓋８０２で閉じる。最下の右側には更に針１０４を閉じ覆う針カバー８０６が示されている。
【００４１】
尚、薬液注入とエア抜きのことを図４の４−Ｂの形態の中空針付薬液容器又はこれに薬液を入れた中空針付薬液入り容器、中空針付体液収集容器を例に記述したが、本発明の中空針付薬液容器又はこれに薬液を入れた中空針付薬液入り容器、中空針付体液収集容器は、図1及び図４に示した全ての形態で、同様のことが言え、これらの容器が単純な構成なので、薬液注入とエア抜きが、針側又は柔軟伸縮部側からの1回の薬液注入動作でエア抜きも同時に達成されてしまい極めて重要なことが容易に満足される。その後にエアが入る心配も無いことは勿論である。図１５の従来品のエア抜きの不具合や面倒さは、ここでは全くその恐れさえ無く克服されている。
【００４２】
８−Ａから８−Ｃまでの薬液充填を行う前には、８−Ｅに示すように、先ず、中空針付容器８００を実現する。中空針付容器８００は、収納室１０２の底面に中空針が固定され、底面以外の面には、柔軟伸縮部１０５となった部分があるので、８−Ｅのように、例えば、最初に、収納室１０２の全体を柔軟伸縮性の材料で作っておいて、底になる部分に堅い板を介するか、又は直接、中空針を有する針基板８０７を接合することも可能である。全ての例で言えるが、針は複数あることも可能である。
【００４３】
図９は、薬液の充填が済んだ中空針付薬液入り容器、体液を採取前の中空針付体液収集容器（中空針付容器２０２）を集積キャリヤに搭載した一実施態様を示す図である。
図では、図２の２−Ｃ及び図４の４Ｂに示す例であるが、これ以外も同様である。９−Ａでは、中空針付容器２０２を集積キャリアの上から針側を下にして、固着している。そのため、集積キャリアには、中空針付容器２０２を置く位置に、針が集積キャリアの裏側に抜けるように針等の通過穴９０１が開いている。９−Ｂでは、中空針付容器２０２を集積キャリアの下から柔軟伸縮部１０５を上にして、固着している。この場合は、針側は、外側に向いているので、集積キャリアに針等の通過穴９０１は必要がない。
【００４４】
図８、図９は、中空針付容器８００が完成してから薬液を入れる例であったが、図１０は、本発明の中空針付薬液容器又はこれに薬液を入れた中空針付薬液入り容器において薬液をいれてから中空針付容器を完成する一実施態様を示す図である。図４の４−Ｂの中空針付容器の例で示すが、他の容器でも同じである。１０−Ａでは、針のある底面側に開口部１００１を有する収納室１０２を、柔軟伸縮部１０５側を下にしておき、開口部１００１から収納室１０２に薬液１００２を充填する。充填後に針の付いた針基板８０７を固着することも可能である。
逆に、１０−Ｂでは、針がすでに付いた中空針付容器の柔軟伸縮部１０５側のある側が未だ取り付いてなくて開いた状態のものに、薬液１００２を充填する。その後、柔軟伸縮部１０５のある側を固着した例である。いずれも、斜視断面図で示している。
【００４５】
図１１及び図１２は、中空針付容器２０２を集積キャリア上に構成する一実施態様を示す図である。図１１では、集積キャリア上に先に針のある底面側に開口部１００１を有する収納室１０２を、柔軟伸縮部１０５側を下にして先に配置した場合であり、図１２では、針がすでに付いた中空針付容器の柔軟伸縮部１０５側のある側が未だ取り付いてなくて開いた状態のものを先に配置した場合である。
先ず、図１１において、収納室１０２を、柔軟伸縮部１０５側を下にして配置する場合は、１１１−Ａのように集積キャリアの上から配置する場合と、１１−Ｂのように下から配置する場合の２通りがある。前者では、集積キャリア２０１には中空針付容器２０２を配置する位置に貫通穴は必要がないが、後者では、集積キャリアに貫通穴１１０１の必要がある。
１１−Ａ、１１−Ｂとも矢印の左側に容器配置前、右側に容器配置後を示してある。
１１−Ａでは、集積キャリア２０１の上側に収納室１０２が配置され、１１−Ｂでは、下側に配置される。１１−Ｃでは、両方の場合に対して、針の付いた針基板８０７を接合する。その後、１１−Ｄでは、針をカバーする針覆い１１０２を被せる。この覆いは、使用時には、除いて使用する。１１−Ｅは、針覆い１１０２の被せが完成された状態を示す。ここで、針覆い１１０２としては、連続したシート状でも良いし、１１−Ｈのように連続した茶碗を伏せたような形状（茶碗のように針が納まる凹みがある）でもよい。又、繋がったものでなく、ここの針ごとに個別になっていてもよい。尚、配置される収納室１０２の形状の例を１１−Ｆに拡大して示す。図４の４−Ｂに示すものを例にしたが、その他のもの、図１に示すものでも同じである。１−Ｇには、針の付いた針基板８０７を拡大した例を示す。
【００４６】
図１２では、１２−Ａにおいて、柔軟伸縮部１０５側がまだ取り付けてない針付容器を集積キャリア２０１の下側から最初に配置している。集積キャリア２０１には、収納室蓋１０２Ｂを上から被せるために開口穴９０１Ｂが必要である。１２−Ｂには、配置後の状態を示す。１２−Ｃでは、針をカバーする針覆い１１０２を被せる。１２−Ｄには、その後の状態を示す。１２−Ｅには、集積キャリア２０１の上側から柔軟伸縮部１０５を有する収納室蓋１０２Ｂを被せ接合する。その結果が１２−Ｆの状態である。
【００４７】
図１１と図１２において、針基板８０７又は、収納室蓋１０２Ｂを被せる前に、薬液を充填することもでき、又集積キャリア２０１上に空針付容器２０２が完成されてから薬液を充填することも可能である。勿論、図８、図９、図１０のように薬液を充填した中空針付容器２０２を完成したものを集積キャリア上に配置することも可能であり。多くのバリエーションが可能である。
【００４８】
図１、図４に示された中空針付薬液容器又はこれに薬液を入れた中空針付薬液入り容器、中空針付体液収集容器は、身体に貼り付けて使用することができる。
尚、以上の説明の中で使われた言葉の共通した内容をまとめて以下に記述する。
中空針は、針の先から根元まで長手方向に内側に中空穴が貫通している針で、注射針や採血用の針は、中空針である。従来、金属製の長い針が用いられて来たが、近年、微細針の提案が、例えば、図１３の１３−Ｂに示すようなもの（特開２００８−１５４８４９）が多く見られるようになり、これらのものも使用することが可能である。この例以外にも、特開２０１１−２３０３９６、特表２００４−５２４１７２、特開２００６−２０４５４０等に寸法や材質まで詳細記述がある。前２者では、微小中空針の特徴として、長さ５０μm〜１０００           μm、特に５０μm〜１５０μm、外径２０μm〜１００μm、内径５μm〜５０μm、材質として、シリコン、ステンレス等金属、特にこれらの型を使った樹脂成型品が示され、後の特開２００６−２０４５４０では、ほぼ同じ寸法であるが、素材として毛髪を使用した微小針が提案されている。一般に、針自体は、曲がらない且つ折れない硬さを持つ必要があるので、針とそれを支える基板を同時形成し、針基板となっているものが多い。そうでないと、針穴と基板の穴を合わせて接合する難しさと手間があるためである。又、本願では、微小針である必要は無いが、集積を行うには、微小針である方が好ましい。尚、使い捨てを考慮すると、樹脂製の針が好ましい。
【００４９】
収納室は、収容する薬液や体液の量によるが、極力面積を取り、薄く形成する方が重ねて集積するには都合がよい。本発明による提案は、主に薬液や体液の量が少ないものに適用して好都合であるがその場合は、収納室の厚みは、３mm以下が好ましい。薬液や体液の量が多い場合は、重ね集積には適しないが図1の１−Ｄのような形態を取ることが可能である。収納室の材質としては、使い捨てを考慮すると、ポリカーボネート、ポリスチレン、ポリオレフィン、ポリエチレンテレフタレート、ポリエチレン、ポリプロピレン、ナイロン、塩化ビニルなどの樹脂が適している。基板部は、これらのもので硬質のものが適当である。
【産業上の利用可能性】
【００５０】
以上のように本発明による中空針付薬液容器又はこれに薬液を入れた中空針付薬液入り容器、中空針付体液収集容器、これら容器を複数搭載した集積キャリヤ、集積キャリア集合体及び、連続注射装置、連続体液収集装置
では、エア抜きとその扱いの不都合を回避し、構成を単純化して小型・薄型を可能として集積収容や連続的使用を可能とし、製造工数・材料の削減によるコスト低減、使用上の安心・容易化を図れるので、産業上の利用性が極めて大きい。
【符号の説明】
【００５１】
１０１  薬液
１０２  収納室
１０３  連通穴
１０４  針
１０５  柔軟伸縮部
１０６  基板部
１０７  針カバー
１０８  突起収納凹み部
１０９  凹凸反転板
１１０  凹み
２０１  集積キャリア
２０２、８００  中空針付容器
２０３  搬送用歯車溝穴
２０４  搬送用歯
２０５  無配置箇所
３００  集積キャリア集合体
３０１  リール
３０２、５３４  集積キャリヤ
３０３  引出口
３０４  円板状側壁
５００  手持ち連続注射等装置
５１０  握り部
５２０  胴体部
５３０  施術部
５３１  施術部筐体
５３２  押圧具
５３３  施術部底面
５３５  送り歯車
５３６  円柱
５３７  円筒
５３８  駆動ガイド管
５３９  駆動ワイヤ
５３９Ｂ  駆動バー
５４０  引き金
５４１  バネ
５４２  アーム連結片
５４３  往復部分回転車
５４４  第二伝達ワイヤ又はベルト
５４５  送り車
５４５Ｂ  第二の送り車
５４６  第一伝達ワイヤ又はベルト
５４７  回転軸
５４８  身体置き台
５４９  リフタ
６００  筐体
８０１  注入器
８０１Ｂ  注入針又は注入口
８０２  閉じ蓋
８０３  貫通中空針
８０４  エア抜き針開放端
８０５  薬液注入穴
８０６  針カバー
８０７  針基板
９０１  針等の通過穴
９０１Ｂ  開口穴
１００１  開口部
１００２  薬液
１１０１  貫通穴
１１０２  針覆い
【図１】
0006273543.tif 000002
【図２】
0006273543.tif 000003
【図３】
0006273543.tif 000004
【図４】
0006273543.tif 000005
【図５】
0006273543.tif 000006
【図６】
0006273543.tif 000007
【図７】
0006273543.tif 000008
【図８】
0006273543.tif 000009
【図９】
0006273543.tif 000010
【図１０】
0006273543.tif 000011
【図１１】
0006273543.tif 000012
【図１２】
0006273543.tif 000013
【図１３】
0006273543.tif 000014
【図１４】
0006273543.tif 000015
【図１５】
0006273543.tif 000016